(57)【特許請求の範囲】
【請求項１】
台板（１０）、側板（３１）、天板（４０）、側板（３２）及び接着片（１１１）を折線を介して順次連設し、台板（１０）の上下辺に押板（５１）、（５２）及び係止板（６１）、（６２）をそれぞれ折線を介して順次連設してなり、接着片（１１１）を台板（１０）に接着して天板（４０）を上架し、押板（５１）、（５２）を台板（１０）にのせ、係止板（６１）、（６２）を折り返して天板（４０）と係止板（６１）、（６２）との間に挿入する揮散性薬剤収納容器（９０）の底面を係止して固定できるようにしたことを特徴とする揮散性薬剤収納容器の紙製収納箱。
【請求項２】
上げ板（１１）、台板（１０）、上げ板（１２）、底板（２０）、側板（３１）、天板（４０）及び側板（３２）をそれぞれ折線を介して順次連設し、台板（１０）の上下辺に上げ板（１３）、（１４）をそれぞれ折線を介して連設し、底板（２０）の上下辺に上げ板（２１）、（２２）、押板（５１）、（５２）及び係止板（６１）、（６２）をそれぞれ折線を介して順次連設してなり、底板（２０）の上に台板（１０）を上げ板（１１）、（１２）、（１３）、（１４）を介して上架すると共に、側板（３１）、（３２）を立設して、側板（３１）を上げ板（１１）に、側板（３２）を上げ板（１２）に接着して天板（４０）を上架し、上げ板（２１）、（２２）を介して押板（５１）、（５２）を台板（１０）にのせ、係止板（６１）、（６２）を折り返して、天板（４０）と係止板（６１）、（６２）との間に挿入する揮散性薬剤収納容器（９０）の底面を係止して固定できるようにしたことを特徴とする揮散性薬剤収納容器の紙製収納箱。
【請求項３】
台板（１０）、側板（３１）、天板（４０）、側板（３２）及び接着片（１１１）を折線を介して順次連設し、台板（１０）の上下辺に押板（５１）、（５２）、係止板（６１）、（６２）をそれぞれ折線を介して順次連設してなり、接着片（１１１）を台板（１０）に接着して天板（４０）を上架し、押板（５１）、（５２）を台板（１０）にのせ、係止板（６１）、（６２）を折り返して天板（４０）と係止板（６１）、（６２）との間に挿入する揮散性薬剤収納容器（９０）の底面を係止して固定できるようにし、天板（４０）に穴（８００Ｅ）、又は／及び、開き片（８０１Ｅ）付の穴（８００Ｅ）、又は／及び、切れ目で囲んだ片（８０２Ｅ）を除去できるようにした穴（８００Ｅ）を穿設したことを特徴とする揮散性薬剤収納容器の紙製収納箱。
【請求項４】
上げ板（１１Ａ）、台板（１０Ａ）、上げ板（１２Ａ）、底板（２０Ａ）、側板（３１Ａ）、１対の差込穴（４１１Ａ）及び（４２１Ａ）を穿設して穴（８００Ａ）を設けた揮散量調整板（８０Ａ）を差し込んで重ね合わせ回動できるようにした穴（４００Ａ）あきの天板（４０Ａ）及び側板（３２Ａ）をそれぞれ折線を介して順次連設し、台板（１０Ａ）の上下辺に上げ板（１３Ａ）、（１４Ａ）をそれぞれ折線を介して連設し、底板（２０Ａ）の上下辺に上げ板（２１Ａ）、（２２Ａ）、押板（５１Ａ）、（５２Ａ）及び係止板（６１Ａ）、（６２Ａ）をそれぞれ折線を介して順次連設し、穴あき天板（４０Ａ）の上下辺に差込板（４１Ａ）、（４２Ａ）をそれぞれ折線を介して連設してなり、底板（２０Ａ）の上に台板（１０Ａ）を上げ板（１１Ａ）、（１２Ａ）、（１３Ａ）、（１４Ａ）を介して上架すると共に、側板（３１Ａ）、（３２Ａ）を立設して、側板（３１Ａ）に上げ板（１１Ａ）、側板（３２Ａ）に上げ板（１２Ａ）をそれぞれ接着して穴あき天板（４０Ａ）を上架し、上げ板（２１Ａ）、（２２Ａ）を介して押板（５１Ａ）、（５２Ａ）を台板（１０Ａ）にのせ、係止板（６１Ａ）、（６２Ａ）を折り返して、穴あき天板（４０Ａ）と係止板（６１Ａ）、（６２Ａ）との間に挿入する揮散性薬剤収納容器（９０Ａ）の底面を係止して固定できるようにすると共に、開口した揮散性薬剤収納容器（９０Ａ）の揮散量を穴あき天板（４０Ａ）と回動する揮散量調整板（８０Ａ）により調整できるようにしたことを特徴とする揮散性薬剤収納容器の紙製収納箱。
【請求項５】
折込片（１１１Ｂ）、側板（３２Ｂ）、上げ板（１１Ｂ）、  側板（３１Ｂ）及び上げ板（１２Ｂ）をそれぞれ折線を介して順次連設し、折込片（１１１Ｂ）の上辺に折線を介して折込片（１１２Ｂ）、その右辺に折線を介して上げ板（１１３Ｂ）をそれぞれ連設し、差込片（３３１Ｂ）を差込みできるようにした切目（３２０Ｂ）を設けた側板（３２Ｂ）の下辺に底辺（２１Ｂ）を折線であって中央に差込片（７０Ｂ）が差込みできるようにした切目（３２１Ｂ）を設けたものを介して連設し、上げ板（１１Ｂ）の上辺に、両側に折線を介して上げ板（５１１Ｂ）、（５１２Ｂ）を設けた押板（５１Ｂ）を折線であって切込み（５１０Ｂ）を入れたものを介して連設し、押板（５１Ｂ）に折線を介して係止板（６１Ｂ）を連設し、下辺に折線を介して底片（２２Ｂ）を連設し、側板（３１Ｂ）の上辺に、それぞれ折線を介して、両側に差込板（４１Ｂ）、（４２Ｂ）を設けると共に、１対の差込穴（４１１Ｂ）、（４２１Ｂ）を穿設して、穴（８００Ｂ）を設けた揮散量調整板（８０Ｂ）を差し込んで重ね合わせ回動できるようにした穴（４００Ｂ）あきの天板（４０Ｂ）、差込片（３３１Ｂ）を設けた側板（３３Ｂ）、上げ板（１３Ｂ）及び差込片（７０Ｂ）を順次連設し、下辺に折線を介して底片（２３Ｂ）を連設し、上げ板（１２Ｂ）の上辺に、左辺に折線を介して上げ板（５２１Ｂ）を設けた押板（５２Ｂ）及び係止板（６２Ｂ）をそれぞれ折線を介して順次連設し、下辺に折線を介して底片（２４Ｂ）を連設してなり、底片（２１Ｂ）、（２２Ｂ）、（２３Ｂ）、（２４Ｂ）の折込みと接着により底板（２０Ｂ）を形成し、上げ板（１１Ｂ）、（５１１Ｂ）、（５１２Ｂ）を介して底板（２０Ｂ）上に押板（５１Ｂ）を上架し、折込片（１１１Ｂ）、（１１２Ｂ）を介して上げ板（１１３Ｂ）を側板（３２Ｂ）に接着し、上げ板（１２Ｂ）、（５２１Ｂ）を介して押板（５２Ｂ）を上架し、側板（３１Ｂ）、側板（３２Ｂ）及び側板（３３Ｂ）を立設して押板（５１Ｂ）、（５２Ｂ）上に穴あき天板（４０Ｂ）を上架し、差込片（７０Ｂ）を切目（３２１Ｂ）に差込み、差込片（３３１Ｂ）を切目（３２０Ｂ）に差込み、係止板（６１Ｂ）、（６２Ｂ）を折返して穴あき天板（４０Ｂ）と係止板（６１Ｂ）、（６２Ｂ）との間に挿入する揮散性薬剤収納容器（９０Ｂ）の底面を係止して固定できるようにすると共に、開口した揮散性薬剤収納容器（９０Ｂ）の揮散量を穴あき天板（４０Ｂ）と回動する揮散量調整板（８０Ｂ）により調整できるようにしたことを特徴とする揮散性薬剤収納容器の紙製収納箱。
【請求項６】
折込片（１１１Ｃ）、上げ板（１１Ｃ）、側板（３１Ｃ）、上げ板（１２Ｃ）及び側板（３２Ｃ）をそれぞれ折線を介して順次連設し、上げ板（１１Ｃ）、（１２Ｃ）の上辺に、それぞれ両側に上げ板（５１１Ｃ）、（５１２Ｃ）、（５２１Ｃ）、（５２２Ｃ）をそれぞれ折線を介して連設した押板（５１Ｃ）、（５２Ｃ）及び係止板（６１Ｃ）、（６２Ｃ）をそれぞれ折線を介して順次連設し、上げ板（１１Ｃ）、（１２Ｃ）の下辺に底片（２１Ｃ）、（２３Ｃ）をそれぞれ折線を介して連設し、側板（３１Ｃ）の上辺に、１対の差込穴（４１１Ｃ）、（４２１Ｃ）を穿設して穴（８００Ｃ）を設けた揮散量調整板（８０Ｃ）を差し込んで重ね合わせ差込片（８０２Ｃ）により回動できるようにした穴（４００Ｃ）あきの天板（４０Ｃ）、側板（３３Ｃ）及び差込片（７０Ｃ）をそれぞれ折線を介して順次連設し、側板（３１Ｃ）の下辺に底片（２２Ｃ）を折線を介して連設し、側板（３２Ｃ）の下辺に底片（２４Ｃ）を折線であって中央に差込片（７０Ｃ）を挿入できるようにした切目（３２０Ｃ）を設けたものを介して連設してなり、底片（２１Ｃ）、（２２Ｃ）、（２３Ｃ）、（２４Ｃ）の折込みと接着により底板（２０Ｃ）を形成し、上げ板（１１Ｃ）、（５１１Ｃ）、（５１２Ｃ）、（１２Ｃ）、（５２１Ｃ）、（５２２Ｃ）及び折込片（１１１Ｃ）を介して底板（２０Ｃ）上に押板（５１Ｃ）、（５２Ｃ）をそれぞれ上架し、側板（３１Ｃ）、側板（３２Ｃ）及び側板（３３Ｃ）を立設して押板（５１Ｃ）、（５２Ｃ）上に穴あき天板（４０Ｃ）を上架し、差込片（７０Ｃ）を側板（３２Ｃ）の下辺の切目（３２０Ｃ）に差込み、係止板（６１Ｃ）、（６２Ｃ）を折返して穴あき天板（４０Ｃ）と係止板（６１Ｃ）、（６２Ｃ）との間に挿入する揮散性薬剤収納容器（９０Ｃ）の底面を係止して固定できるようにすると共に、開口した揮散性薬剤収納容器（９０Ｃ）の揮散量を穴あき天板（４０Ｃ）と回動する揮散量調整板（８０Ｃ）により調整できるようにしたことを特徴とする揮散性薬剤収納容器の紙製収納箱。
【請求項７】
前記１対の係止板（６１）及び（６２）、（６１Ａ）及び（６２Ａ）、（６１Ｂ）及び（６２Ｂ）、又は（６１Ｃ）及び（６２Ｃ）が、多数の１対の平行折線（６１１）及び（６２１）、（６１１Ａ）及び（６２１Ａ）、（６１１Ｂ）及び（６２１Ｂ）、又は（６１１Ｃ）及び（６２１Ｃ）を形成して、天板（４０）、（４０Ａ）、（４０Ｂ）又は（４０Ｃ）と１対の係止板（６１）及び（６２）、（６１Ａ）及び（６２Ａ）、（６１Ｂ）及び（６２Ｂ）、又は（６１Ｃ）及び（６２Ｃ）との間に挿入された揮散性薬剤収納容器（９０）、（９０Ａ）、（９０Ｂ）又は（９０Ｃ）を係止して固定させると共に湾曲させて容易に取り出せるようにしている請求項１、２、３、４、５又は６記載の揮散性薬剤収納容器の紙製収納箱。
【請求項８】
開口側板（３１Ｄ）、穴あき天板（４０Ｄ）、開口側板（３２Ｄ）、底板（２０Ｄ）、上げ板（１１Ｄ）、台板（１０Ｄ）及び上げ板（１２Ｄ）をそれぞれ折線を介して順次連設し、開口側板（３１Ｄ）、（３２Ｄ）の上下辺に内側板片（３１１Ｄ）、（３１２Ｄ）、（３２１Ｄ）、（３２２Ｄ）をそれぞれ折線を介して連設し、底板（２０Ｄ）の上辺に側板（３３１Ｄ）及び差込片（７０Ｄ）をそれぞれ折線を介して順次連設し、底板（２０Ｄ）の下辺に側板（３３２Ｄ）及び揮散量調整板（８０Ｄ）をそれぞれ折線を介して順次連設し、台板（１０Ｄ）の上下辺に上げ板（１３Ｄ）、（１４Ｄ）をそれぞれ折線を介して順次連設してなり、底板（２０Ｄ）の上に台板（１０Ｄ）を各上げ板（１１Ｄ）、（１２Ｄ）、（１３Ｄ）、（１４Ｄ）を介して上架すると共に、側板（３３１Ｄ）、（３３２Ｄ）を立設して揮散量調整板（８０Ｄ）を上架し、開口側板（３１Ｄ）、（３２Ｄ）を立設して穴あき天板（４０Ｄ）を揮散量調整板（８０Ｄ）表面上に上架し、開口側板（３１Ｄ）を上げ板（１１Ｄ）に接着し、揮散量調整板（８０Ｄ）と台板（１０Ｄ）との間に揮散性薬剤収納容器（９０Ｄ）を挿入して収納できるようにすると共に、開口した揮散性薬剤収納容器（９０Ｄ）の揮散量を、穴あき天板（４０Ｄ）に差し込む揮散量調整板（８０Ｄ）により調整できるようにしたことを特徴とする揮散性薬剤収納容器の紙製収納箱。
【発明の詳細な説明】
【０００１】
【発明の属する技術分野】
本発明は、芳香発生、消臭、防虫、防かび、除菌、殺虫その他の目的に使用される揮散性薬剤収納容器の紙製収納箱に関する。
【０００２】
【従来の技術】
揮散性薬剤収納容器は、長期保管に適しているが、開口後は、そのままではデザイン性に欠ける上に揮散量の調整ができない欠点があった。
そこで、本発明者は、開口後、揮散量の調整を簡単にできる紙製被覆板を開発すると共に、紙製収納箱を開発して、揮散性薬剤収納容器を格納し、保管や輸送の便をはかると共に、これから揮散性薬剤収納容器を取り出して開口したのちは、開口した揮散性薬剤収納容器を紙製収納箱に再び格納して使用できるようにし、美観性と揮散量の調整をはかることに成功した。
【０００３】
【発明が解決しようとする課題】
すなわち、本発明は、揮散性薬剤収納容器を開口したとき、揮散量を簡単容易に調整することができる紙製揮散量調整板を提供するものである。
また、本発明は、揮散性薬剤収納容器の保管や輸送が便利であると共に、揮散性薬剤収納容器を取り出して開口したのちは、再び箱内に格納して揮散量を調整し体裁よく使用できるようにした揮散性薬剤収納容器の紙製収納箱を提供するものである。
【０００４】
【課題を解決するための手段】
本発明の請求項１の発明は、上記課題を達成するため、図示するように、台板１０、側板３１、天板４０、側板３２及び接着片１１１を折線を介して順次連設し、台板１０の上下辺に押板５１、５２及び係止板６１、６２をそれぞれ折線を介して順次連設してなり、接着片１１１を台板１０に接着して天板４０を上架し、押板５１、５２を台板１０にのせ、係止板６１、６２を折り返して天板４０と係止板６１、６２との間に挿入する揮散性薬剤収納容器９０の底面を係止して固定できるようにした揮散性薬剤収納容器の紙製収納箱である。
また、本発明の請求項２の発明は、上記課題を達成するため、図示するように、上げ板１１、台板１０、上げ板１２、底板２０、側板３１、天板４０及び側板３２をそれぞれ折線を介して順次連設し、台板１０の上下辺に上げ板１３、１４をそれぞれ折線を介して連設し、底板２０の上下辺に上げ板２１、２２、押板５１、５２及び係止板６１、６２をそれぞれ折線を介して順次連設してなり、底板２０の上に台板１０を上げ板１１、１２、１３、１４を介して上架すると共に、側板３１、３２を立設して、側板３１を上げ板１１に、側板３２を上げ板１２に接着して天板４０を上架し、上げ板２１、２２を介して押板５１、５２を台板１０にのせ、係止板６１、６２を折り返して、天板４０と係止板６１、６２との間に挿入する揮散性薬剤収納容器９０の底面を係止して固定できるようにした揮散性薬剤収納容器の紙製収納箱である。
また、本発明の請求項３の発明は、上記課題を達成するため、図示するように、台板１０、側板３１、天板４０、側板３２及び接着片１１１を折線を介して順次連設し、台板１０の上下辺に押板５１、５２、係止板６１、６２をそれぞれ折線を介して順次連設してなり、接着片１１１を台板１０に接着して天板４０を上架し、押板５１、５２を台板１０にのせ、係止板６１、６２を折り返して天板４０と係止板６１、６２との間に挿入する揮散性薬剤収納容器９０の底面を係止して固定できるようにし、天板４０に穴８００Ｅ、又は／及び、開き片８０１Ｅ付の穴８００Ｅ、又は／及び、切れ目で囲んだ片８０２Ｅを除去できるようにした穴８００Ｅを穿設した揮散性薬剤収納容器の紙製収納箱である。
また、本発明の請求項４の発明は、上記課題を達成するため、図示するように、上げ板１１Ａ、台板１０Ａ、上げ板１２Ａ、底板２０Ａ、側板３１Ａ、１対の差込穴４１１Ａ及び４２１Ａを穿設して穴８００Ａを設けた揮散量調整板８０Ａを差し込んで重ね合わせ回動できるようにした穴４００Ａあきの天板４０Ａ及び側板３２Ａをそれぞれ折線を介して順次連設し、台板１０Ａの上下辺に上げ板１３Ａ、１４Ａをそれぞれ折線を介して連設し、底板２０Ａの上下辺に上げ板２１Ａ、２２Ａ、押板５１Ａ、５２Ａ及び係止板６１Ａ、６２Ａをそれぞれ折線を介して順次連設し、穴あき天板４０Ａの上下辺に差込板４１Ａ、４２Ａをそれぞれ折線を介して連設してなり、底板２０Ａの上に台板１０Ａを上げ板１１Ａ、１２Ａ、１３Ａ、１４Ａを介して上架すると共に、側板３１Ａ、３２Ａを立設して、側板３１Ａに上げ板１１Ａ、側板３２Ａに上げ板１２Ａをそれぞれ接着して穴あき天板４０Ａを上架し、上げ板２１Ａ、２２Ａを介して押板５１Ａ、５２Ａを台板１０Ａにのせ、係止板６１Ａ、６２Ａを折り返して、穴あき天板４０Ａと係止板６１Ａ、６２Ａとの間に挿入する揮散性薬剤収納容器９０Ａの底面を係止して固定できるようにすると共に、開口した揮散性薬剤収納容器９０Ａの揮散量を穴あき天板４０Ａと回動する揮散量調整板８０Ａにより調整できるようにした揮散性薬剤収納容器の紙製収納箱である。
また、本発明の請求項５の発明は、上記課題を達成するため、図示するように、折込片１１１Ｂ、側板３２Ｂ、上げ板１１Ｂ、  側板３１Ｂ及び上げ板１２Ｂをそれぞれ折線を介して順次連設し、折込片１１１Ｂの上辺に折線を介して折込片１１２Ｂ、その右辺に折線を介して上げ板１１３Ｂをそれぞれ連設し、差込片３３１Ｂを差込みできるようにした切目３２０Ｂを設けた側板３２Ｂの下辺に底辺２１Ｂを折線であって中央に差込片７０Ｂが差込みできるようにした切目３２１Ｂを設けたものを介して連設し、上げ板１１Ｂの上辺に、両側に折線を介して上げ板５１１Ｂ、５１２Ｂを設けた押板５１Ｂを折線であって切込み５１０Ｂを入れたものを介して連設し、押板５１Ｂに折線を介して係止板６１Ｂを連設し、下辺に折線を介して底片２２Ｂを連設し、側板３１Ｂの上辺に、それぞれ折線を介して、両側に差込板４１Ｂ、  ４２Ｂを設けると共に、１対の差込穴４１１Ｂ、４２１Ｂを穿設して、穴８００Ｂを設けた揮散量調整板８０Ｂを差し込んで重ね合わせ回動できるようにした穴４００Ｂあきの天板４０Ｂ、差込片３３１Ｂを設けた側板３３Ｂ、上げ板１３Ｂ及び差込片７０Ｂを順次連設し、下辺に折線を介して底片２３Ｂを連設し、上げ板１２Ｂの上辺に、左辺に折線を介して上げ板５２１Ｂを設けた押板５２Ｂ及び係止板６２Ｂをそれぞれ折線を介して順次連設し、下辺に折線を介して底片２４Ｂを連設してなり、底片２１Ｂ、２２Ｂ、２３Ｂ、２４Ｂの折込みと接着により底板２０Ｂを形成し、上げ板１１Ｂ、５１１Ｂ、５１２Ｂを介して底板２０Ｂ上に押板５１Ｂを上架し、折込片１１１Ｂ、１１２Ｂを介して上げ板１１３Ｂを側板３２Ｂに接着し、上げ板１２Ｂ、５２１Ｂを介して押板５２Ｂを上架し、側板３１Ｂ、側板３２Ｂ及び側板３３Ｂを立設して押板５１Ｂ、５２Ｂ上に穴あき天板４０Ｂを上架し、差込片７０Ｂを切目３２１Ｂに差込み、差込片３３１Ｂを切目３２０Ｂに差込み、係止板６１Ｂ、６２Ｂを折返して穴あき天板４０Ｂと係止板６１Ｂ、６２Ｂとの間に挿入する揮散性薬剤収納容器９０Ｂの底面を係止して固定できるようにすると共に、開口した揮散性薬剤収納容器９０Ｂの揮散量を穴あき天板４０Ｂと回動する揮散量調整板８０Ｂにより調整できるようにした揮散性薬剤収納容器の紙製収納箱である。
また、本発明の請求項６の発明は、上記課題を達成するため、図示するように、折込片１１１Ｃ、上げ板１１Ｃ、側板３１Ｃ、上げ板１２Ｃ及び側板３２Ｃをそれぞれ折線を介して順次連設し、上げ板１１Ｃ、１２Ｃの上辺に、それぞれ両側に上げ板５１１Ｃ、５１２Ｃ、５２１Ｃ、５２２Ｃをそれぞれ折線を介して連設した押板５１Ｃ、５２Ｃ及び係止板６１Ｃ、６２Ｃをそれぞれ折線を介して順次連設し、上げ板１１Ｃ、１２Ｃの下辺に底片２１Ｃ、２３Ｃをそれぞれ折線を介して連設し、側板３１Ｃの上辺に、１対の差込穴４１１Ｃ、４２１Ｃを穿設して穴８００Ｃを設けた揮散量調整板８０Ｃを差し込んで重ね合わせ差込片８０２Ｃにより回動できるようにした穴４００Ｃあきの天板４０Ｃ、側板３３Ｃ及び差込片７０Ｃをそれぞれ折線を介して順次連設し、側板３１Ｃの下辺に底片２２Ｃを折線を介して連設し、側板３２Ｃの下辺に底片２４Ｃを折線であって中央に差込片７０Ｃが挿入できるようにした切目３２０Ｃを設けたものを介して連設してなり、底片２１Ｃ、２２Ｃ、２３Ｃ、２４Ｃの折込みと接着により底板２０Ｃを形成し、上げ板１１Ｃ、５１１Ｃ、５１２Ｃ、１２Ｃ、５２１Ｃ、５２２Ｃ及び折込片１１１Ｃを介して底板２０Ｃ上に押板５１Ｃ、５２Ｃをそれぞれ上架し、側板３１Ｃ、側板３２Ｃ及び側板３３Ｃを立設して押板５１Ｃ、５２Ｃ上に穴あき天板４０Ｃを上架し、差込片７０Ｃを側板３２Ｃの下辺の切目３２０Ｃに差込み、係止板６１Ｃ、６２Ｃを折返して穴あき天板４０Ｃと係止板６１Ｃ、６２Ｃとの間に挿入する揮散性薬剤収納容器９０Ｃの底面を係止して固定できるようにすると共に、開口した揮散性薬剤収納容器９０Ｃの揮散量を穴あき天板４０Ｃと回動する揮散量調整板８０Ｃにより調整できるようにした揮散性薬剤収納容器の紙製収納箱である。
また、本発明の請求項７の発明は、上記課題を達成するため、図示するように、請求項１、２、３、４、５又は請求項６の発明において、前記１対の係止板６１及び６２、６１Ａ及び６２Ａ、６１Ｂ及び６２Ｂ、又は６１Ｃ及び６２Ｃが、多数の１対の平行折線６１１及び６２１、６１１Ａ及び６２１Ａ、６１１Ｂ及び６２１Ｂ、又は６１１Ｃ及び６２１Ｃを形成して、天板４０、４０Ａ、４０Ｂ又は４０Ｃと１対の係止板６１及び６２、６１Ａ及び６２Ａ、６１Ｂ及び６２Ｂ、又は６１Ｃ及び６２Ｃとの間に挿入された揮散性薬剤収納容器９０、９０Ａ、９０Ｂ又は９０Ｃを係止して固定させると共に湾曲させて容易に取り出せるようにしている揮散性薬剤収納容器の紙製収納箱である。
また、本発明の請求項８の発明は、上記課題を達成するため、図示するように、開口側板３１Ｄ、穴あき天板４０Ｄ、開口側板３２Ｄ、底板２０Ｄ、上げ板１１Ｄ、台板１０Ｄ及び上げ板１２Ｄをそれぞれ折線を介して順次連設し、開口側板３１Ｄ、３２Ｄの上下辺に内側板片３１１Ｄ、３１２Ｄ、３２１Ｄ、３２２Ｄをそれぞれ折線を介して連設し、底板２０Ｄの上辺に側板３３１Ｄ及び差込片７０Ｄをそれぞれ折線を介して順次連設し、底板２０Ｄの下辺に側板３３２Ｄ及び揮散量調整板８０Ｄをそれぞれ折線を介して順次連設し、台板１０Ｄの上下辺に上げ板１３Ｄ、１４Ｄをそれぞれ折線を介して順次連設してなり、底板２０Ｄの上に台板１０Ｄを各上げ板１１Ｄ、１２Ｄ、１３Ｄ、１４Ｄを介して上架すると共に、側板３３１Ｄ、３３２Ｄを立設して揮散量調整板８０Ｄを上架し、開口側板３１Ｄ、３２Ｄを立設して穴あき天板４０Ｄを揮散量調整板８０Ｄ表面上に上架し、開口側板３１Ｄを上げ板１１Ｄに接着し、揮散量調整板８０Ｄと台板１０Ｄとの間に揮散性薬剤収納容器９０Ｄを挿入して収納できるようにすると共に、開口した揮散性薬剤収納容器９０Ｄの揮散量を、穴あき天板４０Ｄに差し込む揮散量調整板８０Ｄにより調整できるようにした揮散性薬剤収納容器の紙製収納箱である。
本発明において、揮散性薬剤収納容器は、金属製、合成樹脂製、紙製等、又は、これらの組み合せの各種の収納容器が含まれ、また、天板と係止板との間に挿入される収納容器がその底面を１対の係止板により係止されるためには、容器底の外面が凹状に形成されるか通常の缶詰のような外周縁部の突起があることが必要である。
また、係止板には、多数の平行折線が形成されて、天板と係止板との間に挿入された収納容器を、係止板を湾曲させることにより容易に取り出せるようにすることが好ましい。
【０００５】
【発明の実施の形態１】
本発明の実施の形態１が図１、図２及び図３に示されている。
本発明実施の形態の揮散性薬剤収納容器の紙製収納箱は、台板１０、側板３１、天板４０、側板３２及び接着片１１１を折線を介して順次連設し、台板１０の上下辺に押板５１、５２及び係止板６１、６２をそれぞれ折線を介して順次連設してなり、台板１０上に、押板５１、５２をのせる。次いで、押板５１、５２に折り返してのせられた係止板６１、６２に缶詰状の容器底外面の外周縁部に突起が囲撓されている揮散性薬剤収納容器９０の底面を嵌め込むように、天板４０と係止板６１、６２との間に揮散性薬剤収納容器９０を挿入すれば、揮散性薬剤収納容器９０の底面が係止板６１、６２に係止されて固定される。この状態で移動や保管ができるが、揮散性薬剤収納容器９０を開口して使用するときには、揮散性薬剤収納容器９０を天板４０と係止板６１、６２との間からいったん取り出すが、この際、揮散性薬剤収納容器９０の底面を係止している係止板６１、６２に、図示の仮想線で示す多数の平行折線６１１、６２１を設けておけば、係止板６１、６２が、揮散性薬剤収納容器９０の引き出しの際に湾曲するので、揮散性薬剤収納容器９０の取り出しが容易になる。
本発明の収納箱からいったん取り出した揮散性薬剤収納容器９０の上面を開口して、開口上面を被覆する揮散量調整板８０をのせる。
揮散量調整板８０は、図１に示すように、１個又は複数個の穴８００、又は／及び、１個又は複数個の開き戸状に切目と折線で形成した開き片８０１を付けた穴８００、又は／及び、１個又は複数個の切れ目で囲んだ片８０２付きの穴８００を設けている。
従って、この紙製揮散量調整板８０で開口した揮散性薬剤収納容器９０の上面を被覆して、開口した穴８００、開き片８０１付き穴８００、切れ目で囲んだ片８０２を除去してできる穴８００をそれぞれ適当に用いると、容器内の揮散性薬剤の揮散量の調整は容易にできることになる。以下の発明の実施の形態においても、紙製収納箱から取り出したのち開口した揮散性薬剤収納容器９０、９０Ａ、９０Ｂ、９０Ｃ又は９０Ｄは、揮散量調整板８０又はこれに類似するものを揮散性薬剤収納容器９０の開口上面に被覆して使用することができる。
【０００６】
【発明の実施の形態２】
本発明の実施の形態２が図４及び図５に示されている。
本発明の実施の形態２の揮散性薬剤収納容器の紙製収納箱は、上げ板１１、台板１０、上げ板１２、底板２０、側板３１、天板４０及び側板３２をそれぞれ折線を介して順次連設し、台板１０の上下辺に上げ板１３、１４をそれぞれ折線を介して連設し、上げ板１２の上下辺に折込片１２１、１２２をそれぞれ折線を介して連設し、底板２０の上下辺に上げ板２１、２２を折線を介して連設し、上げ板２１に押板５１を折線であって切込み５１０を設けたものを介して連設し、上げ板２２に押板５２を折線を介して連設し、押板５１、５２に係止板６１、６２をそれぞれ折線を介して順次連設し、側板３１の上下辺に折込片３１１、３１２をそれぞれ折線を介して連設してなり、底板２０の上に上げ板１１、１２、１３、１４及び折込片１２１、１２２、３１１、３１２を介して台板１０を上架し、台板１０上に上げ板２１、２２を介して押板５１、５２をのせ、次いで押板５１、５２に折り返して係止板６１、６２をのせ、天板４０と係止板６１、６２との間に発明の実施の形態１で述べた揮散性薬剤収納容器９０を挿入すれば、揮散性薬剤収納容器９０の底面が係止板６１、６２、５１０に係止されて固定される。
その他の詳細説明は、発明の実施の形態１と同様であるので省略する。
【０００７】
【発明の実施の形態３】
本発明の実施の形態３が図６及び図７に示されている。
本発明の実施の形態３の揮散性薬剤収納容器の紙製収納箱は、台板１０、側板３１、天板４０、側板３２及び接着片１１１を折線を介して順次連設し、台板１０の上下辺に押板５１、５２、係止板６１、６２をそれぞれ折線を介して順次連設してなり、接着片１１１を台板１０に接着して天板４０を上架し、押板５１、５２を台板１０にのせ、係止板６１、６２を折り返して天板４０と係止板６１、６２との間に挿入する揮散性薬剤収納容器９０の底面を係止して固定できるようにし、天板４０に穴８００Ｅ、又は／及び、開き片８０１Ｅ付の穴８００Ｅ、又は／及び、切れ目で囲んだ片８０２Ｅを除去できるようにした穴８００Ｅを穿設したものである。天板４０と係止板６１、６２との間に開口した揮散性薬剤収納容器９０を収納すれば揮散量の調整をはかることができる。
その他の詳細説明は、発明の実施の形態１と同様であるので省略する。
【０００８】
【発明の実施の形態４】
本発明の実施の形態４が図８、図９及び図１０に示されている。
本発明の実施の形態４の揮散性薬剤収納容器の紙製収納箱は、上げ板１１Ａ、台板１０Ａ、上げ板１２Ａ、底板２０Ａ、側板３１Ａ、１対の差込穴４１１Ａ及び４２１Ａを穿設して揮散量調整板８０Ａを差し込んで重ね合わせ回動できるようにした穴４００Ａあきの天板４０Ａ及び側板３２Ａをそれぞれ折線を介して順次連設し、台板１０Ａの上下辺に上げ板１３Ａ、１４Ａをそれぞれ折線を介して連設し、上げ板１２Ａの上下辺に折込片１２１Ａ、１２２Ａをそれぞれ折線を介して連設し、底板２０Ａの上下辺に上げ板２１Ａ、２２Ａ、押板５１Ａ、５２Ａ及び係止板６１Ａ、６２Ａをそれぞれ折線を介して順次連設し、側板３１Ａの上下辺に折込片３１１Ａ、３１２Ａをそれぞれ折線を介して連設し、穴あき天板４０Ａの上下辺に差込板４１Ａ、４２Ａをそれぞれ折線を介して連設してなり、底板２０Ａの上に台板１０Ａを上げ板１１Ａ、１２Ａ、１３Ａ、１４Ａ及び折込片１２１Ａ、１２２Ａ、３１１Ａ、３１２Ａを介して上架すると共に、側板３１Ａ、３２Ａを立設して、側板３１Ａに上げ板１１Ａ、側板３２Ａに上げ板１２Ａを接着して穴あき天板４０Ａを上架し、上げ板２１Ａ、２２Ａを介して押板５１Ａ、５２Ａを台板１０Ａにのせ、係止板６１Ａ、６２Ａを折り返して、穴あき天板４０Ａと係止板６１Ａ、６２Ａとの間に挿入する発明の実施の形態１で述べたと同様の揮散性薬剤収納容器９０Ａの底面を係止できるようにすると共に、開口した揮散性薬剤収納容器９０Ａの揮散量を穴あき天板４０Ａと回動する揮散量調整板８０Ａにより調整できるようにしたものである。
したがって、押板５１Ａ、５２Ａに折り返してのせられた係止板６１Ａ、６２Ａに揮散性薬剤収納容器９０Ａの底面を嵌め込むように、天板４０Ａと係止板６１Ａ、６２Ａとの間に揮散性薬剤収納容器９０Ａを挿入すれば、揮散性薬剤収納容器９０Ａの底面が係止板６１Ａ、６２Ａに係止されて固定され、この状態で移動や保管ができるが、揮散性薬剤収納容器９０Ａを開口して使用するときには、揮散性薬剤収納容器９０Ａを天板４０Ａと係止板６１Ａ、６２Ａとの間からいったん取り出すが、この際、揮散性薬剤収納容器９０Ａの底面を係止している係止板６１Ａ、６２Ａに、図示の仮想線で示す多数の平行折線６１１Ａ、６２１Ａを設けておけば、係止板６１Ａ、６２Ａが揮散性薬剤収納容器９０Ａの引き出しの際に湾曲するので、揮散性薬剤収納容器９０Ａの取り出しが容易になる。
本発明の収納箱からいったん取り出した揮散性薬剤収納容器９０Ａは、上面を開口したのち、再び、収納箱の天板４０Ａと係止板６１Ａ、６２Ａとの間に挿入し、揮散性薬剤収納容器９０Ａの底面を係止しておく。その際に、揮散量調整板８０Ａを、穴４００Ａをあけた天板４０Ａの裏面に重ね合わせるように、差込板４１Ａ、４２Ａを介して差込穴４１１Ａ、４２１Ａに差し込んでおけば、揮散量の調整は、天板４０Ａの穴４００Ａと裏面の揮散量調整板８０Ａの回動とにより、容易に調整することができる。
【０００９】
【発明の実施の形態５】
本発明の実施の形態５が図１１及び図１２に示されている。
本発明の実施の形態５の揮散性薬剤収納容器の紙製収納箱は、折込片１１１Ｂ、側板３２Ｂ、上げ板１１Ｂ、  側板３１Ｂ及び上げ板１２Ｂをそれぞれ折線を介して順次連設し、折込片１１１Ｂの上辺に折線を介して折込片１１２Ｂ、その右辺に折線を介して上げ板１１３Ｂをそれぞれ連設し、差込片３３１Ｂを差込みできるようにした切目３２０Ｂを設けた側板３２Ｂの下辺に底片２１Ｂを折線であって中央に差込片７０Ｂが挿入できるようにした切目３２１Ｂを設けたものを介して連設し、上げ板１１Ｂの上辺に、両側に折線を介して上げ板５１１Ｂ、５１２Ｂを設けた押板５１Ｂを折線であって中央に切込み５１０Ｂを設けたものを介して連設し、押板５１Ｂに折線を介して係止板６１Ｂを連設し、下辺に折線を介して底片２２Ｂを連設し、側板３１Ｂの上辺に、それぞれ折線を介して、両側に差込板４１Ｂ、  ４２Ｂを設けると共に、１対の差込穴４１１Ｂ、４２１Ｂを穿設して、揮散量調整板８０Ｂを差し込んで重ね合わせ回動できるようにした穴４００Ｂあきの天板４０Ｂ、差込片３３１Ｂを設けた側板３３Ｂ、上げ板１３Ｂ及び差込片７０Ｂを順次連設し、下辺に折線を介して底片２３Ｂを連設し、上げ板１２Ｂの上辺に、左辺に折線を介して上げ板５２１Ｂを設けた押板５２Ｂ及び係止板６２Ｂをそれぞれ折線を介して順次連設し、下辺に折線を介して底片２４Ｂを連設してなり、底片２１Ｂ、２２Ｂ、２３Ｂ、２４Ｂの折込みと接着により底板２０Ｂを形成し、上げ板１１Ｂ、５１１Ｂ、５１２Ｂを介して底板２０Ｂ上に押板５１Ｂを上架し、折込片１１１Ｂ、１１２Ｂを介して上げ板１１３Ｂを側板３２Ｂに接着し、上げ板１２Ｂ、５２１Ｂを介して押板５２Ｂを上架し、側板３１Ｂ、側板３２Ｂ及び側板３３Ｂを立設して押板５１Ｂ、５２Ｂ上に穴あき天板４０Ｂを上架し、差込片７０Ｂを切目３２１Ｂに差込み、差込片３３１Ｂを切目３２０Ｂに差込み、係止板６１Ｂ、６２Ｂを折返して穴あき天板４０Ｂと係止板６１Ｂ、６２Ｂとの間に挿入する発明の実施の形態２で述べたと同様の揮散性薬剤収納容器９０Ｂの底面を係止できるようにすると共に、開口した揮散性薬剤収納容器９０Ｂの揮散量を穴あき天板４０Ｂと回動する揮散量調整板８０Ｂにより調整できるようにしたものである。
したがって、揮散性薬剤収納容器９０Ｂを天板４０Ｂと係止板６１Ｂ、６２Ｂとの間に挿入すれば、揮散性薬剤収納容器９０Ｂの底面が係止板６１Ｂ、６２Ｂ、切込み５１０Ｂに係止されて固定され、この状態で、揮散性薬剤収納容器９０Ｂの移動や保管ができる。揮散性薬剤収納容器９０Ｂを開口して使用するときには、揮散性薬剤収納容器９０Ｂを天板４０Ｂと係止板６１Ｂ、６２Ｂとの間からいったん取り出すが、この際、揮散性薬剤収納容器９０Ｂの底面を係止している係止板６１Ｂ、６２Ｂに、図示の仮想線で示す多数の平行折線６１１Ｂ、６２１Ｂを設けておけば、係止板６１Ｂ、６２Ｂが揮散性薬剤収納容器９０Ｂの引き出しの際に湾曲するので、揮散性薬剤収納容器９０Ｂの取り出しが容易になる。
本発明の収納箱からいったん取り出した揮散性薬剤収納容器９０Ｂは、上面を開口したのち、再び、収納箱の天板４０Ｂと押板５１Ｂ、５２Ｂの間に挿入し、折り返した係止板６１Ｂ、６２Ｂによつて揮散性薬剤収納容器９０Ｂの底面を係止しておく。その際に、図１１に示す８０Ａと同じ揮散量調整板８０Ｂを、穴４００Ｂをあけた天板４０Ｂの裏面に重ね合わせると共に、差込板４１Ｂ、４２Ｂを介して差込穴４１１Ｂ、４２１Ｂに差し込んでおけば、揮散量の調整は、天板４０Ｂの穴４００Ｂと裏面の揮散量調整板８０Ｂの回動とにより、容易に調整することができる。
【００１０】
【発明の実施の形態６】
本発明の実施の形態６が図１３、図１４及び図１５に示されている。
本発明の実施の形態６の揮散性薬剤収納容器の紙製収納箱は、折込片１１１Ｃ、上げ板１１Ｃ、側板３１Ｃ、上げ板１２Ｃ及び側板３２Ｃをそれぞれ折線を介して順次連設し、上げ板１１Ｃ、１２Ｃの上辺に、それぞれ両側に上げ板５１１Ｃ、５１２Ｃ、５２１Ｃ、５２２Ｃをそれぞれ折線であって中央に切込み３２１Ｃ、３２２Ｃを設けたものを介して押板５１Ｃ、５２Ｃを連設し、係止板６１Ｃ、６２Ｃをそれぞれ折線を介して連設し、上げ板１１Ｃ、１２Ｃの下辺に底片２１Ｃ、２３Ｃをそれぞれ折線を介して連設し、側板３１Ｃの上辺に、１対の差込穴４１１Ｃ、４２１Ｃを穿設して揮散量調整板８０Ｃを差し込んで重ね合わせ差込片８０２Ｃにより回動できるようにした穴４００Ｃあきの天板４０Ｃ、側板３３Ｃ及び差込片７０Ｃをそれぞれ折線を介して順次連設し、側板３１Ｃの下辺に底片２２Ｃを折線を介して連設し、側板３２Ｃの下辺に底片２４Ｃを折線であって中央に差込片７０Ｃが挿入できるようにした切目３２０Ｃを設けたものを介して連設してなり、底片２１Ｃ、２２Ｃ、２３Ｃ、２４Ｃの折込みと接着により底板２０Ｃを形成し、上げ板１１Ｃ、５１１Ｃ、５１２Ｃ、１２Ｃ、５２１Ｃ、５２２Ｃ及び折込片１１１Ｃを介して底板２０Ｃ上に押板５１Ｃ、５２Ｃをそれぞれ上架し、側板３１Ｃ、側板３２Ｃ及び側板３３Ｃを立設して押板５１Ｃ、５２Ｃ上に穴あき天板４０Ｃを上架し、差込片７０Ｃを側板３２Ｃの下辺の切目３２０Ｃに差込み、係止板６１Ｃ、６２Ｃを折返して穴あき天板４０Ｃと係止板６１Ｃ、６２Ｃとの間に挿入する発明の実施の形態１で述べたと同様の揮散性薬剤収納容器９０Ｃの底面を係止できるようにすると共に、開口した揮散性薬剤収納容器９０Ｃの揮散量を穴あき天板４０Ｃと回動する揮散量調整板８０Ｃにより調整できるようにしたものである。
したがって、揮散性薬剤収納容器９０Ｃを天板４０Ｃと係止板６１Ｃ、６２Ｃとの間に挿入すれば、揮散性薬剤収納容器９０Ｃの底面が係止板６１Ｃ、６２Ｃ及び切込み３２１Ｃ、３２２Ｃに係止されて固定され、この状態で、揮散性薬剤収納容器９０Ｃの移動や保管ができる。揮散性薬剤収納容器９０Ｃを開口して使用するときには、揮散性薬剤収納容器９０Ｃを天板４０Ｃと係止板６１Ｃ、６２Ｃとの間からいったん取り出すが、この際に、揮散性薬剤収納容器９０Ｃの底面を係止している係止板６１Ｃ、６２Ｃに、図示の仮想線で示す多数の平行折線６１１Ｃ、６２１Ｃを設けておけば、係止板６１Ｃ、６２Ｃが、揮散性薬剤収納容器９０Ｃの引き出しの際に湾曲するので、揮散性薬剤収納容器９０Ｃの取り出しが容易になる。
本発明の収納箱からいったん取り出した揮散性薬剤収納容器９０Ｃは、上面を開口したのち、再び、収納箱の天板４０Ｃと係止板６１Ｃ、６２Ｃの間に挿入し、折り返した係止板６１Ｃ、６２Ｃによつて揮散性薬剤収納容器９０Ｃの底面を係止しておく。その際に、揮散量調整板８０Ｃを、穴４００Ｃをあけた天板４０Ｃの裏面に合わせると共に、天板４０Ｃの差込穴４１１Ｃ、４２１Ｃに差し込んでおけば、揮散量の調整は、天板４０Ｃの穴４００Ｃと裏面の揮散量調整板８０Ｃの回動とにより容易に調整することができる。
【００１１】
【発明の実施の形態７】
本発明の実施の形態７が図１６及び図１７に示されている。
本発明実施の実施の形態７の揮散性薬剤収納容器の紙製収納箱は、開口側板３１Ｄ、穴あき天板４０Ｄ、開口側板３２Ｄ、底板２０Ｄ、上げ板１１Ｄ、台板１０Ｄ及び上げ板１２Ｄをそれぞれ折線を介して順次連設し、開口側板３１Ｄ、３２Ｄの上下辺に内側板片３１１Ｄ、３１２Ｄ、３２１Ｄ、３２２Ｄをそれぞれ折線を介して連設し、底板２０Ｄの上辺に側板３３１Ｄ及び差込片７０Ｄをそれぞれ折線を介して順次連設し、底板２０Ｄの下辺に側板３３２Ｄ及び揮散量調整板８０Ｄをそれぞれ折線を介して順次連設し、台板１０Ｄの上下辺に上げ板１３Ｄ、１４Ｄをそれぞれ折線を介して連設してなり、底板２０Ｄの上に台板１０Ｄを各上げ板１１Ｄ、１２Ｄ、１３Ｄ、１４Ｄを介して上架すると共に、側板３３１Ｄ、３３２Ｄを立設して揮散量調整板８０Ｄを上架し、開口側板３１Ｄ、３２Ｄを立設して穴あき天板４０Ｄを揮散量調整板８０Ｄ表面上に上架し、開口側板３１Ｄを上げ板１１Ｄに接着し、揮散量調整板８０Ｄと台板１０Ｄとの間に揮散性薬剤収納容器９０Ｄを挿入して収納できるようにすると共に、開口した揮散性薬剤収納容器９０Ｄの揮散量を、穴あき天板４０Ｄに差し込む揮散量調整板８０Ｄにより調整できるようにしたものである。
したがって、揮散性薬剤収納容器９０Ｄは、外側板３３１Ｄ、内側板片３１１Ｄ、３２１Ｄを開いて、台板１０Ｄと揮散量調整板８０Ｄとの間に挿入し、内側板片３１１Ｄ、３２１Ｄ、外側板３３１Ｄを閉じれば収納される。この状態で、移動や保管ができるが、揮散性薬剤収納容器９０Ｃを開口して使用するときには、揮散性薬剤収納容器９０Ｃを揮散量調整板８０Ｄと台板１０Ｄとの間から外側板３３１Ｄ、差込片７０Ｄ及び内側板片３１１Ｄ、３２１Ｄを開いていったん取り出す。揮散性薬剤収納容器９０Ｄの上面を開口したのちは、揮散量調整板８０Ｄと台板１０Ｄの間に挿入して、内側板片３１１Ｄ、３２１Ｄ及び差込片７０Ｄを介して外側板３３１Ｄを閉じる。
揮散量の調整は、穴あき天板４０Ｄに対し揮散量調整板８０Ｄの差込み度合を調整することにより行われる。
【００１２】
【発明の効果】
本発明の紙製収納箱は、箱内に揮散性薬剤収納容器を入れてそのまま収納できる上に、輸送、保管の際、箱から揮散性薬剤収納容器がはずれにくく、箱の係止板で多数の平行折線を形成したものは、容器を箱内にしっかり固定できるに拘わらず、箱から容器の取り出しが容易になる。  また、揮散性薬剤収納容器は箱から取り出して開口した後は、開口した揮散性薬剤収納容器を紙製揮散量調整板で被覆して、簡単容易かつ安価に揮散性薬剤の揮散量を調整できる。また、開口した容器を再び箱に収納することができるので、体裁のよい外観が得られ、さらに、箱に穴あき天板を備えたもの、箱の穴あき天板と揮散量調整板とを備えたものは、箱内で容器の揮散性薬剤の揮散量の調整が簡単にできる。
【図面の簡単な説明】
【図１】  本発明の揮散性薬剤収納容器に使用した紙製揮散量調整板の斜視図である。
【図２】  本発明の揮散性薬剤収納容器の紙製収納箱の実施形態を示す斜視図である。
【図３】  図２の展開図である。
【図４】  本発明の揮散性薬剤収納容器の紙製収納箱の別の実施形態を示す斜視図である。
【図５】  図４の展開図である。
【図６】  本発明の揮散性薬剤収納容器の紙製収納箱の別の実施形態を示す斜視図である。
【図７】  図６の展開図である。
【図８】  本発明の揮散性薬剤収納容器の紙製収納箱の別の実施形態を示す斜視図である。
【図９】  図８の展開図である。
【図１０】  図８に使用する揮散量調整板の平面図である。
【図１１】  本発明の揮散性薬剤収納容器の紙製収納箱の別の実施形態を示す斜視図である。
【図１２】  図１１の展開図である。
【図１３】  本発明の揮散性薬剤収納容器の紙製収納箱の別の実施形態を示す斜視図である。
【図１４】  図１３の展開図である。
【図１５】  図１３に使用する揮散量調整板の平面図である。
【図１６】  本発明の揮散性薬剤収納容器の紙製収納箱の別の実施形態を示す斜視図である。
【図１７】  図１６の展開図である。
【符号の説明】
１０、１０Ａ、１０Ｄ    台板
１１、１１Ａ、１１Ｂ、１１Ｃ、１１Ｄ    上げ板
１２、１２Ａ、１２Ｂ、１２Ｃ、１２Ｄ    上げ板
１３、１３Ａ、１３Ｂ、１３Ｄ    上げ板
１４、１４Ａ、１４Ｄ    上げ板
２１、２１Ａ、２２、２２Ａ    上げ板
１１３Ｂ    上げ板
５１１Ｂ、５１１Ｃ、５１２Ｂ、５１２Ｃ    上げ板
５２１Ｂ、５２１Ｃ、５２２Ｃ    上げ板
１１１Ｂ、１１２Ｂ、１１１Ｃ    折込片
１１１    接着片
２０、２０Ａ、２０Ｂ、２０Ｃ、２０Ｄ    底板
２１Ｂ、２１Ｃ、２２Ｂ、２２Ｃ、２３Ｂ、２３Ｃ、２４Ｂ、２４Ｃ    底片
５１、５１Ａ、５１Ｂ、５１Ｃ    押板
５２、５２Ａ、５２Ｂ、５２Ｃ    押板
６１、６１Ａ、６１Ｂ、６１Ｃ    係止板
６２、６２Ａ、６２Ｂ、６２Ｃ    係止板
６１１、６１１Ａ、６１１Ｂ、６１１Ｃ    平行折線
６２１、６２１Ａ、６２１Ｂ、６２１Ｃ    平行折線
３１、３１Ａ、３１Ｂ、３１Ｃ、３１Ｄ    側板
３２、３２Ａ、３２Ｂ、３２Ｃ、３２Ｄ    側板
３３Ｂ、３３Ｃ    側板
３１１Ｄ、３１２Ｄ、３２１Ｄ、３２２Ｄ、３３１Ｄ、３３２Ｄ    側板
４０、４０Ａ、４０Ｂ、４０Ｃ、４０Ｄ    天板
４００Ａ、４００Ｂ、４００Ｃ、４００Ｄ、８００Ｅ  天板の穴
８０１Ｅ    開き片
８０２Ｅ    切れ目で囲んだ片
８０、８０Ａ、８０Ｂ、８０Ｃ、８０Ｄ    揮散量調整板
８００、８００Ａ、８００Ｂ、８００Ｃ、８００Ｄ    揮散量調整板の穴
８０１    片開き片
８０２  切れ目で囲んだ片
４１Ａ、４１Ｂ、４２Ａ、４２Ｂ    差込板
７０Ｂ、７０Ｃ    差込片
３３１Ｂ、７０Ｄ、８０２Ｃ    差込片
４１１Ａ、４１１Ｂ、４１１Ｃ、４２１Ａ、４２１Ｂ、４２１Ｃ    差込穴
３２０Ｂ、３２１Ｂ、３２０Ｃ    切目
９０、９０Ａ、９０Ｂ、９０Ｃ、９０Ｄ    揮散性薬剤収納容器
【図１】
0004685207.tif 000002
【図２】
0004685207.tif 000003
【図３】
0004685207.tif 000004
【図４】
0004685207.tif 000005
【図５】
0004685207.tif 000006
【図６】
0004685207.tif 000007
【図７】
0004685207.tif 000008
【図８】
0004685207.tif 000009
【図９】
0004685207.tif 000010
【図１０】
0004685207.tif 000011
【図１１】
0004685207.tif 000012
【図１２】
0004685207.tif 000013
【図１３】
0004685207.tif 000014
【図１４】
0004685207.tif 000015
【図１５】
0004685207.tif 000016
【図１６】
0004685207.tif 000017
【図１７】
0004685207.tif 000018